(57)【要約】【課題】建築資材を所要高さ位置に仮置きする際に、所要高さ位置から建築資材が不測に落下しないよう安全に仮置きすることができるとともに、枠組み作業に支障を来さないような位置に仮置きすることができる仮置き装置を提案する。【解決手段】支柱１のフランジ部材２に楔止めされる単管３ａに沿って、そのフランジ部材２の楔孔２ａを利用してこれに差し込み係合する差し込み金具５を一端部に設け、他端部に単管３ａにフック状に係合する係合金具６を設けた装置本体７が配置され、該装置本体７にその長手方向に隣接して並立状態に建築資材３を仮置き保持するための保持部８が設けられてなる。【選択図】図２
2010037811.tif 000002
【特許請求の範囲】
【請求項１】
支柱本体に所要間隔でフランジ部材が固着されてなる支柱間に、前記フランジ部材に楔止めされて安全手摺用或いは支柱間連結用の単管が順次高所に向かって多段状に枠組みされる仮設足場において、単管が高所に向かって多段状に枠組みされる際に、その枠組み作業途上で単管や足場板支持用ブラケット等の建築資材を、仮設足場の所要高さ位置に仮置きするための仮置き装置であって、支柱のフランジ部材に楔止めされる上記単管に沿って、そのフランジ部材の楔孔を利用してこれに差し込み係合する差し込み金具を一端部に設け、他端部に単管にフック状に係合する係合金具を設けた装置本体が配置され、該装置本体にその長手方向に隣接して並立状態に建築資材を仮置き保持するための保持部が設けられてなる建築資材の仮設足場への仮置き装置。
【請求項２】
前記装置本体は、水平片部と垂直片部とで構成された断面L字状の帯板状部材からなり、前記差し込み金具は、前記装置本体の水平片部に垂直に固着される垂直取付部と該垂直取付部に対してＬ字状に延びる水平差し込み部とからなり、前記係合金具は単管の外周面に沿って係合するフック金具からなり、前記保持部は、前記装置本体の垂直片部から上方に向かって突出状に固着され、建築資材の端部開口孔に係嵌可能な突状片からなる請求項１に記載の建築資材の仮設足場への仮置き装置。
【請求項３】
前記装置本体の一端部に設けられる差し込み金具の近傍に、その上端部が装置本体に固着される垂直取付部とこれよりＬ字状に延びて支柱本体の側面に当接する水平当接部とからなる回転防止金具が設けられてなる請求項１または２に記載の建築資材の仮設足場への仮置き装置。
【請求項４】
前記フック金具に自重ロック形のロック片が取り付けられてなる請求項２に記載の建築資材の仮設足場への仮置き装置。
【請求項５】
前記装置本体を前記単管に沿うように取り付けるに当たって、該装置本体を水平な単管に対して上方に直立状に対向させて該装置本体の一端部の差し込み金具の水平差し込み部をフランジ部材に対して垂直状となし、この状態で該水平差し込み部をフランジ部材の楔孔に上方から嵌合し、しかる後に該装置本体を前記単管に沿うよう水平状態に回動させることによって前記差し込み金具の垂直取付部がフランジ部材の楔孔に嵌合位置し、前記水平差し込み部がフランジ部材の裏面側に沿うように配置され、これによって装置本体の一端部がフランジ部材に接した状態で差し込み金具がフランジ部材に係合し、且つ装置本体が単管に沿うように配置され、しかも装置本体の他端部の係合金具が単管に係合するようになっている請求項１〜４の何れかに記載の建築資材の仮設足場への仮置き装置。
【発明の詳細な説明】
【技術分野】
【０００１】
本発明は、建築現場に枠組み仮設される仮設足場において、仮設足場の枠組みの際に、仮設足場を構成する安全手摺等の建築資材を、枠組み作業を能率的に行うために枠組み作業途上の仮設足場に仮置きするための仮置き装置に関する。
【背景技術】
【０００２】
図８に示すように、建築現場では、新築や改装作業のために、建物Ｈの周囲に仮設足場Ａが枠組み仮設される。この仮設足場Ａは、単管よりなる支柱本体１ａに複数の板状のフランジ部材２が所要間隔に溶接固着された支柱１が、建物Ｈの周囲に沿うように直立配設されるとともに、各支柱１，１間に安全手摺用や支柱１，１間を連結する支柱間連結用の単管３ａがフランジ部材２に楔止めされ、また各支柱１，１間に足場台４を取り付けるための足場台支持用ブラケット３ｂがフランジ部材２に楔止めされ、このようにしてこれら単管３ａや足場台取付用ブラケット３ｂ等の建築資材３が地上の最下層から順次高所に向かって多段状に枠組みされる。
【０００３】
この際に、建築資材３を用いて順次最下層から高所に向かって枠組みされるにつれて、建築資材３を地上から高所にいちいち運搬するのでは不能率であるから、高所作業になるにつれて、図示のように所定高さ位置に枠組みされている足場台４に、多数の単管３ａや支持ブラケット３ｂ等の建築資材３を一旦仮置きしておき、その位置から建築資材３を用いてその後の枠組み作業を行うようにすれば、いちいち地上から建築資材３を運搬するのに比べて枠組み作業を格段に能率的に行うことができる。
【０００４】
しかし、これら建築資材３を足場台４に仮置きするのに、図示のように足場台４上に建築資材３を載置しておくだけであるから、作業者が建築資材３に足を取られたり、建築資材３が不測に足場台４上から落下する危険性が多分にあった。
【発明の開示】
【発明が解決しようとする課題】
【０００５】
上記のように、建築資材を所要高さ位置に仮置きするのに、足場台上に単に載置するだけであるから、仮置き状態が極めて不安定であり、また枠組み作業の支障にもなる。
【０００６】
そこで本発明は、建築資材を所要高さ位置に仮置きする際に、所要高さ位置から建築資材が不測に落下しないよう安全に仮置きすることができるとともに、枠組み作業に支障を来さないような位置に仮置きすることができる仮置き装置を提案することを解決課題とする。
【課題を解決するための手段】
【０００７】
上記課題を解決するための手段を、後述する実施形態の参照符号を付して説明すると、請求項１に係る発明は、支柱本体１ａに所要間隔でフランジ部材２が固着されてなる支柱１，１間に、前記フランジ部材２に楔止めされて安全手摺用或いは支柱間連結用の単管３ａが順次高所に向かって多段状に枠組みされる仮設足場Ａにおいて、単管３ａが高所に向かって多段状に枠組みされる際に、枠組み作業を能率的に行うためにその枠組み作業途上で単管３ａや足場板支持用ブラケット３ｂ等の建築資材３を、仮設足場Ａの所要高さ位置に仮置きするための仮置き装置であって、支柱１のフランジ部材２に楔止めされる上記単管３ａに沿って、そのフランジ部材２の楔孔２ａを利用してこれに差し込み係合する差し込み金具５を一端部に設け、他端部に単管３ａにフック状に係合する係合金具６を設けた装置本体７が配置され、該装置本体７にその長手方向に隣接して並立状態に建築資材３を仮置き保持するための保持部８が設けられてなる構成を採用してなるものである。
【０００８】
また請求項２に係る発明は、前記装置本体７は、水平片部７ａと垂直片部７ｂとで構成された断面L字状の帯板状部材７Ａからなり、前記差し込み金具５は、前記装置本体７の水平片部７ａに垂直に固着される垂直取付部５ａと該垂直取付部５ａに対してＬ字状に延びる水平差し込み部５ｂとからなり、前記係合金具６は単管３ａの外周面に沿って係合するフック金具６ａからなり、前記保持部８は、前記装置本体７の垂直片部７ｂから上方に向かって突出状に固着され、建築資材３の端部開口孔９に係嵌可能な突状片８ａからなる請求項１に記載の構成からなるものである。
【０００９】
また請求項３に係る発明は、前記装置本体７の一端部に設けられる差し込み金具５の近傍に、その上端部が装置本体７に固着される垂直取付部１０ａとこれよりＬ字状に延びてし支柱本体１ａに当接する水平当接部１０ｂとからなる回転防止金具１０が設けられてなる請求項１または２に記載の構成からなるものである。
【００１０】
さらに請求項４に係る発明は、前記フック金具６ａに自重ロック形のロック片６ｂが取り付けられてなる請求項２に記載の構成からなるものである。
【００１１】
さらにまた請求項５に係る発明は、前記装置本体７を前記単管３ａに沿うように取り付けるに当たって、該装置本体７を水平な単管３ａに対して上方に直立状に対向させて該装置本体７の一端部の差し込み金具５の水平差し込み部５ｂをフランジ部材２に対して垂直状となし、この状態で該水平差し込み部５ｂをフランジ部材２の楔孔２ａに上方から嵌合し、しかる後に該装置本体７を前記単管３ａに沿うよう水平状態に回動させることによって前記差し込み金具５の垂直取付部５ａがフランジ部材２の楔孔２ａに嵌合位置し、前記水平差し込み部５ｂがフランジ部材２の裏面側に沿うように配置され、これによって装置本体７の一端部がフランジ部材２に接した状態で差し込み金具５がフランジ部材２に係合し、且つ装置本体７が単管３ａに沿うように配置され、しかも装置本体７の他端部の係合金具６が単管３ａに係合するようになっている請求項１〜４の何れかに記載の構成からなるものである。
【発明の効果】
【００１２】
上記解決手段による発明の効果を、後述する実施形態の参照符号を付して説明すると、請求項１に係る発明によれば、支柱１のフランジ部材２に楔止めされる単管３ａに沿って、そのフランジ部材２の楔孔２ａを利用してこれに差し込み係合する差し込み金具５を一端部に設け、他端部に単管３ａにフック状に係合する係合金具６を設けた装置本体７が配置され、該装置本体７にその長手方向に隣接して並立状態に建築資材３を仮置き保持するための保持部８が設けられてなるため、該保持部８に建築資材３の端部開口孔９を係嵌することによって、建築資材３は、支柱１，１間の単管３ａに沿って仮設足場Ａの所要高さ位置に確実に仮置き保持させることができ、作業者が作業中に建築資材３に触れても、建築資材３は保持部８から脱落することがなく安全に仮置きすることができ、しかも足場台４上に仮置きすることがないから、足場台４上での作業に支障を来すことがない。さらには建築資材３は直立状態に装置本体７に保持されるから、建築資材３が長尺のものであっても、これに制約されることなく仮置き保持させることができる。
【００１３】
また請求項２に係る発明は、前記装置本体７は、水平片部７ａと垂直片部７ｂとで構成された断面L字状の帯板状部材７Ａからなり、前記差し込み金具５は、前記装置本体７の水平片部７ａに垂直に固着される垂直取付部５ａと該垂直取付部５ａに対してＬ字状に延びる水平差し込み部５ｂとからなり、前記係合金具６は単管３ａの外周面に沿って係合するフック金具６ａからなり、前記保持部８は、前記装置本体７の垂直片部７ｂから上方に向かって突出状に固着され、建築資材３の端部開口孔９に係嵌可能な突状片８ａからなるため、構成が簡単で安価に製作することができる。
【００１４】
また請求項３に係る発明は、前記装置本体７の一端部に設けられる差し込み金具５の近傍に、その上端部が装置本体７に固着される垂直取付部１０ａとこれよりＬ字状に延びて支柱本体１ａの側面に当接する水平当接部１０ｂとからなる回転防止金具１０が設けられてなるため、装置本体７に多数の建築資材３が取り付けられ、これらの大きな荷重が装置本体７に負荷しても、前記差し込み金具５と係合金具６と回転防止金具１０とによって、確実に装置本体７は前記フランジ部材２および単管３ａに取り付けられ、装置本体７がこれらの取付部から脱落することがない。
【００１５】
さらに請求項４に係る発明は、前記フック金具６ａに自重ロック形のロック片６ｂが取り付けられてなるため、装置本体７は一層確実に単管３ａに係合保持させることができる。
【００１６】
さらにまた請求項５に係る発明は、前記装置本体７を前記単管３ａに沿うように取り付けるに当たって、該装置本体７を水平な単管３ａに対して上方に直立状に対向させて該装置本体７の一端部の差し込み金具５の水平差し込み部５ｂをフランジ部材２に対して垂直状となし、この状態で該水平差し込み部５ｂをフランジ部材２の楔孔２ａに上方から嵌合し、しかる後に該装置本体７を前記単管３ａに沿うよう水平状態に回動させることによって前記差し込み金具５の垂直取付部５ａがフランジ部材２の楔孔２ａに嵌合位置し、前記水平差し込み部５ｂがフランジ部材２の裏面側に沿うように配置され、これによって装置本体７の一端部がフランジ部材２に接した状態で差し込み金具５がフランジ部材２に係合し、且つ装置本体７が単管３ａに沿うように配置され、しかも装置本体７の他端部の係合金具６が単管３ａに係合するようになっているため、装置本体７は、差し込み金具５と係合金具６との簡単な係合手段にも係わらず、確実に装置本体７をフランジ部材２と単管３ａに取り付けることができる。また装置本体７をボルト止めなどの面倒な固着作業を必要とせず上記簡単な係合手段によって取り付けることができるため、その取付作業を容易迅速に行うことができる。さらにまた装置本体７をフランジ部材２と単管３ａとから離脱させる際には上記取付作業と反対の順序で行えばよいから離脱作業も容易迅速に行うことができる。このことは、例えば、建築資材３を用いて高所に向かって多段状に枠組みされるにしたがって、装置本体７の取付位置をたびたび高所に取り替えなければならないが、本発明では上述のように装置本体７のフランジ部材２や単管３ａに対する取付や取り外し作業を容易迅速に行うことができるため、結果的に、仮設足場の仮設作業中での建築資材３の仮置き作業を能率的に行うことができることになる。
【発明を実施するための最良の形態】
【００１７】
以下に本発明の好適な一実施形態を図面に基づいて説明すると、図１は、所謂一側足場と称される仮設足場Ａを示し、従来と同じように、鋼製単管よりなる支柱本体１ａに複数の板状のフランジ部材２が所要間隔に溶接固着されてなる支柱１が、建物Ｈの周囲に沿うように直立配設されるとともに、各支柱１，１間に、安全手摺用や支柱１，１間を連結する支柱間連結用の単管３ａがフランジ部材２に楔止めされ、また各支柱１，１間に足場台４を取り付けるための足場台支持用ブラケット３ｂがフランジ部材２に楔止めされ、このようにしてこれら単管３ａや足場台取付用ブラケット３ｂ等の建築資材３が地上の最下層から順次高層階に向かって多段状に枠組みされる。
【００１８】
そして、本発明の特徴とする点であるが、図示のように、支柱間連結用の単管３ａや足場台取付用ブラケット３ｂ等の建築資材３が独特構造の装置本体７によって単管３ａに沿って仮置き保持されるようになっていることである。これによる利点は、上述の作用効果の項で説明したとおりである。
【００１９】
本発明の特徴とする装置本体７の最良の実施形態は、図２〜図７に示すとおりであるであるが、まず図２によく表れているので、その構造を説明すると、装置本体７は、水平片部７ａと垂直片部７ｂとで構成された断面L字状の帯板状部材７Ａからなり、該帯板状部材７Ａの一端部には、支柱１のフランジ部材２の楔孔２ａを利用してこれに差し込み係合する差し込み金具５が設けられ、他端部に単管３ａにフック状に係合する係合金具６が設けられ、該帯板状部材７Ａにその長手方向に隣接して保持部８が設けられる。該保持部８は、前記帯板状部材７Ａの垂直片部７ｂから上方に向かって突出状に固着され、後述のように建築資材３の端部開口孔９（図７）に係嵌可能な板状の突状片８ａからなる。
【００２０】
前記差し込み金具５は、前記装置本体７である帯板状部材７Ａの水平片部７ａを貫通して溶接によって該水平片部７ａに垂直に固着される垂直取付部５ａと該垂直取付部５ａに対してＬ字状に延びる水平差し込み部５ｂとからなる。
【００２１】
前記係合金具６は単管３ａの外周面に沿って係合するフック金具６ａからなり、該フック金具６ａは、図示のようにその先端部に自重ロック形のロック片６ｂが取り付けられて、フック金具６ａを単管３ａに係合させることによって、ロック片６ｂが自重で単管３ａの回りに潜り込みロック作用を良好にする作用を有する（図６）。勿論、ロック片６ｂを設けないで、フック金具６ａだけでもよく、この場合にフック金具６ａのＵ字状係合部の係合深さをできるだけ深くすることが係合作用を良好にすることになる。
【００２２】
また帯板状部材７Ａの一端部に設けられる差し込み金具５の近傍に、その上端部が帯板状部材７Ａの水平片部７ａに固着される垂直取付部１０ａとこれよりＬ字状に延びて、後述のように（図５）、支柱本体１ａの側面に当接する水平当接部１０ｂとからなるＬ字状に折曲した板状の回転防止金具１０が設けられる。
【００２３】
前述のように、支柱本体１ａにはその長手方向適当間隔にフランジ部材２が固着されているが、このフランジ部材２には、周方向等間隔の４箇所に楔孔２ａが貫通して設けられる。単管３ａの両端部は開口９しており、図２の矢印の方向に拡大して図示するように、該単管３ａをフランジ部材２に楔止めするための連結部１１が設けられ、この連結部１１は、端部開口孔９を含んで二股状になってフランジ部材２に対して連結部１１を差し込みことができる差込み孔１２が形成されている。そして図示のように連結部１１の差込み孔１２をフランジ部材２に差し込み、差込み孔１２を挟んで連結部１１に上下に形成された係合孔１３とフランジ部材２の楔孔２ａとにわたって楔１４を打ち込むことによって、単管３ａをフランジ部材２に楔止めするようになっている。
【００２４】
装置本体７である帯板状部材７Ａは、フランジ部材２の楔孔２ａを利用して、単管３ａに沿って取り付けられるようになっている。
【００２５】
図３〜図４は、帯板状部材７Ａの取付順序を示すもので、支柱１には、横部材である単管３ａ，３ａがその連結部１１とフランジ部材２にわたって楔１４を打ち込んで楔止めしている状態が示されている。このように枠組みされた仮設足場の枠組み途上で、まず、図３の（ａ）に示すように、帯板状部材７Ａを水平な単管３ａに対して上方に直立状に対向させて該帯板状部材７Ａの一端部の差し込み金具５の水平差し込み部５ｂをフランジ部材２に対して垂直状となし、この状態で矢印で示すように、該水平差し込み部５ｂをフランジ部材２の楔孔２ａに上方から嵌合し、しかる後に（ｂ）に示すように、帯板状部材７Ａを矢印で示すように、単管３ａに沿うよう水平状態に回動させることによって、図４の（ａ）に示すように、前記差し込み金具５の垂直取付部５ａがフランジ部材２の楔孔２ａに嵌合位置し、前記水平差し込み部５ｂがフランジ部材２の裏面側に沿うように配置され、これによって装置本体７である帯板状部材７Ａの一端部がフランジ部材２に接した状態で差し込み金具５がフランジ部材２に係合し、且つ帯板状部材７Ａが単管３ａに沿うように配置され、しかも帯板状部材７Ａの他端部の係合金具６が図６に示すように単管３ａに係合するようになっており、係合金具６であるフック金具６ａの先端部に取り付けたロック片６ｂが単管３ａの下面側に自重で回ることでロック作用を良好にするようになっている。
【００２６】
さらには、図５に示すように、帯板状部材７Ａの一端部に設けられた回転防止金具１０の水平当接部１０ｂが支柱本体１ａの側面に当接して、装置本体７である帯板状部材７Ａが単管３ａから離反する方向にあるいは単管３ａ側に倒れるのを防止するようになっている。
【００２７】
図７は、建築資材３を装置本体７である帯板状部材７Ａに仮置き係合した状態を示すもので、図１に示す建築資材３の仮置き状態を側面から拡大した状態を示す。一般に仮設足場で枠組みされる手摺用あるいは支柱間連結用鋼製単管３ａや足場板支持用ブラケット３ｂ等の建築資材３の端部は前述のように開口しており、この端部開口孔９を挟んで、フランジ部材２に差し込んで楔止めされるための二股状の連結部１１が設けられている。
本発明は、この端部開口孔９や二股状連結部１１の差し込み孔１２を利用して、図７の矢印の方向に拡大して示すように、建築資材３の下端部を端部開口孔９や差し込み孔１２を帯板状部材７Ａに突設した板状保持部８，８ａに嵌合し、拡大図に示すように、該保持部８，８ａの上端縁が差し込み孔１２の内周縁に当接するようにして係合させ、建築資材３の上端部付近を、例えば上方側に枠組みされている足場台４の側面側に立て掛けさせることによって、建築資材３を直立状態に単管３ａに沿って仮置き保持させるようになっている。
【００２８】
このようにして、建築資材３を装置本体７に仮置き保持させることによって、例え建築資材３が図７の仮想線で示すように、足場台４から離反する方向に倒れかかっても、建築資材３の下端部が装置本体７の保持部８に係合されて、装置本体７から脱落することがなく安全に仮置き保持させることができる。
【００２９】
このように、装置本体７である帯板状部材７Ａが差し込み金具５と係合金具６との簡単な係合手段にも係わらず、確実に装置本体７をフランジ部材２と単管３ａに取り付けることができる。また装置本体７をボルト止めなどの面倒な固着作業を必要とせず上記簡単な係合手段によって取り付けることができるため、その取付作業を容易迅速に行うことができる。さらにまた帯板状部材７Ａをフランジ部材２と単管３ａとから離脱させる際には上記取付作業と反対の順序で行えばよいから離脱作業も容易迅速に行うことができる。このことは、例えば、建築資材３を用いて高所に向かって多段状に枠組みされるにしたがって、帯板状部材７Ａの取付位置をたびたび高所に移し替えなければならないが、本発明では上述のように帯板状部材７Ａのフランジ部材２や単管３ａに対する取付や取り外し作業を容易迅速に行うことができるため、結果的に、仮設足場の仮設作業中での建築資材３の仮置き作業を能率的に行うことができることになる。
【図面の簡単な説明】
【００３０】
【図１】本発明に係る仮置き装置によって、枠組み途上の仮設足場に建築資材を仮置き保持させている状態を示す全体図である。
【図２】本発明に係る仮置き装置の取付前の状態を示す斜視図である。
【図３】本発明に係る仮置き装置の要部である装置本体の仮設足場への取付状態を示す図である。
【図４】同装置本体の仮設足場への取付状態を示し、（ａ）は正面図、（ｂ）は平面図である。
【図５】同要部である回転防止金具の断面側面図である。
【図６】同要部である係合金具の側面図である。
【図７】同要部である装置本体への建築資材の仮置き係合状態を示す図である。
【図８】従来の枠組み途上の仮設足場に建築資材を仮置き保持させている状態を示す全体図である。
【符号の説明】
【００３１】
Ｈ                建物
Ａ                仮設足場
１                支柱
１ａ              支柱本体
２                フランジ部材
２ａ              楔孔
３                建築資材
３ａ              単管
３ｂ              足場板支持用ブラケット
４                足場台
５                差し込み金具
５ａ              垂直取付部
５ｂ              水平差し込み部
６                係合金具
６ａ              フック金具
６ｂ              ロック片
７                装置本体
７Ａ              帯板状部材
７ａ              水平片部
７ｂ              垂直片部
８                保持部
８ａ              突状片
９                端部開口孔
１０              回転防止金具
１０ａ            垂直取付部
１０ｂ            水平当接部
１１              連結部
１２              差し込み孔
１３              係合孔
１４              楔
【図１】
2010037811.tif 000003
【図２】
2010037811.tif 000004
【図３】
2010037811.tif 000005
【図４】
2010037811.tif 000006
【図５】
2010037811.tif 000007
【図６】
2010037811.tif 000008
【図７】
2010037811.tif 000009
【図８】
2010037811.tif 000010